(57)【要約】【課題】搬送時における要介護者にかかる負担を軽減し、搬送時の要介護者の姿勢を安定させることができる簡易担架を提供すること。【解決手段】本考案にかかる簡易担架１００は、座部１０１ａと背もたれ部１０１ｂとからなる担架シート１０１を備えている。そして、座部１０１ａの下面略中央部を横断するように肩掛けベルト１０２の一部が固着される。また、肩掛けベルト１０２の他の一部は、背もたれ部１０２ｂの裏面やや上部に固着される。肩掛けベルト１０２には、ベルトの長さ調節のためのアジャスト１０２ａが複数も受けられている。背もたれ部１０１ｂの裏面下部には、サポート掴みベルト１０３が設けられている。また、座部１０１ａの端部にはクロスバー１０４が設けられている。クロスバー１０４の両端には搬送時に搬送者が握るグリップ１０４ａが形成されている。【選択図】図１
0003135405.tif 000002
【実用新案登録請求の範囲】
【請求項１】
要介護者を二人の搬送者によって搬送する簡易担架であって、
座部と背もたれ部とからなる担架シートと、
一部が前記座部の下面略中央部を横断するように固着され、他の一部が前記背もたれ部の裏面若しくは上部に固着された、二人の搬送者が肩に掛けて前記簡易担架を支持する一連一体の肩掛けベルトと、
前記肩掛けベルトの１又は２以上の箇所に設けられた、前記肩掛けベルトの長さ調節を行うアジャストと、
前記背もたれ部の裏面下部に設けられた、要介護者の搬送時に搬送者が前記簡易担架を支持して安定させるためのサポート掴みベルトと、
前記座部の端部に前記担架シートを固着し横断するように設けられたクロスバーと、
前記クロスバーの両端に形成された、要介護者の搬送時に搬送者が前記簡易担架の進行方向を制御するためのグリップと、
を備えていることを特徴とする簡易担架。
【請求項２】
前記クロスバーの前記グリップ近傍に、搬送時に要介護者が握るための掴みベルトが設けられていることを特徴とする請求項１に記載の簡易担架。
【請求項３】
前記背もたれ部の両側部にクッション部が設けられていることを特徴とする請求項１または２に記載の簡易担架。
【請求項４】
要介護者を二人の搬送者によって搬送する簡易担架であって、
要介護者を載せる担架シートと、
脚部フレームと座部フレームと背もたれ部フレームとで一体的に構成され、前記脚部フレームの一部分は前足としての機能を備え、前記座部フレームと前記背もたれ部フレームとの境界部がくの字状に湾曲しており、前記座部フレームから前記背もたれ部フレームにかけて前記担架シートが張られている主フレームと、
前記座部フレームに固着され椅子の後足としての機能を備えた補助フレームと、
前記座部フレームの一部と前記背もたれ部フレームとに接続され、搬送者が肩に掛けて前記簡易担架を支持する一対の肩掛けベルトと、
を備えていることを特徴とする簡易担架。
【請求項５】
前記脚部フレーム、前記背もたれ部フレーム、および前記補助フレームには、要介護者の搬送時に搬送者が前記簡易担架を支持するためのグリップが形成されていることを特徴とする請求項４に記載の簡易担架。
【請求項６】
前記担架シートには、要介護者の搬送時に搬送者が前記簡易担架を支持するための穿孔部が形成されていることを特徴とする請求項４または５に記載の簡易担架。
【考案の詳細な説明】
【技術分野】
【０００１】
本考案は、被搬送者を少人数で容易、安全に搬送できる簡易担架に関する。
【背景技術】
【０００２】
従来より、疾病者、負傷者、身体障害者など介護を要する者を搬送する場合、左右一対の支持杆にて担架シートを支持して前記担架シート上に要介護者を載せ、搬送者は前記支持杆の両端側を持って搬送する担架が用いられるのが一般的であった。しかし、このような形状の担架では、狭い入口、階段の通過、あるいは狭いエレベーターへの乗り込みに支障をきたしていた。そこで、かかる不都合を解決するため、担架シートの端部に一対の肩掛けベルトを設け、担架シートに載せた要介護者を二人の搬送者がそれぞれ肩掛けベルトで支持しながら搬送できる肩掛け担架が提案されている（たとえば、特許文献１を参照。）。
【０００３】
【特許文献１】実登第３０９１６９０号公報
【考案の開示】
【考案が解決しようとする課題】
【０００４】
しかしながら、上記特許文献１に開示されている肩掛け担架は、担架シートの端部に対角線状に設けられた左右一対の肩掛けベルトに左右両側の搬送者が首を通してそれぞれの肩に掛けて要介護者を運ぶようになっているため、要介護者を載せた際の担架シートの安定性に問題がある。また、要介護者を担架シートの座部に載せると要介護者自身の重みにより、前記座部がたわみ要介護者を圧迫する。これは、特に疾病者や負傷者を搬送する場合に、要介護者に大きな負担がかかることになり問題である。また、２名の搬送者についても、アンバランスな力のかけ具合となる場合があり、搬送しづらいことがある。
【０００５】
また、災害時など、緊急に要介護者を施設内から外へ避難させる必要がある場合、要介護者は広場など安全な地域に搬送される。しかし、そこには椅子やベッドがあるわけではなく、要介護者はいったん平地に下ろされ一時待機させられることになる。このような場合、その平地の状態が良好であるときはともかく、でこぼこであるようなときは放置された要介護者に苦痛を強いることになり問題となる。
【０００６】
本考案は、上述した従来技術による問題点を解消するため、搬送時における要介護者にかかる負担を軽減し、搬送時の要介護者の姿勢を安定させることができる簡易担架を提供することを目的とする。また、搬送途中で一時待機が必要な場合でも、要介護者に負担がかからない簡易担架を提供することも本考案の目的である。
【課題を解決するための手段】
【０００７】
上述した課題を解決し、目的を達成するため、請求項１の考案にかかる簡易担架は、  要介護者を二人の搬送者によって搬送する簡易担架であって、座部と背もたれ部とからなる担架シートと、一部が前記座部の下面略中央部を横断するように固着され、他の一部が前記背もたれ部の裏面若しくは上部に固着された、二人の搬送者が肩に掛けて前記簡易担架を支持する一連一体の肩掛けベルトと、前記肩掛けベルトの１又は２以上の箇所に設けられた、前記肩掛けベルトの長さ調節を行うアジャストと、前記背もたれ部の裏面下部に設けられた、要介護者の搬送時に搬送者が前記簡易担架を支持して安定させるためのサポート掴みベルトと、前記座部の端部に前記担架シートを固着し横断するように設けられたクロスバーと、前記クロスバーの両端に形成された、要介護者の搬送時に搬送者が前記簡易担架の進行方向を制御するためのグリップと、を備えていることを特徴とする。
【０００８】
また、請求項２の考案にかかる簡易担架は、請求項１に記載の考案において、前記クロスバーの前記グリップ近傍に、搬送時に要介護者が握るための掴みベルトが設けられていることを特徴とする。
【０００９】
また、請求項３の考案にかかる簡易担架は、請求項１または２に記載の考案において、前記背もたれ部の両側部にクッション部が設けられていることを特徴とする。
【００１０】
また、請求項４の考案にかかる簡易担架は、要介護者を二人の搬送者によって搬送する簡易担架であって、要介護者を載せる担架シートと、脚部フレームと座部フレームと背もたれ部フレームとで一体的に構成され、前記脚部フレームの一部分は前足としての機能を備え、前記座部フレームと前記背もたれ部フレームとの境界部がくの字状に湾曲しており、前記座部フレームから前記背もたれ部フレームにかけて前記担架シートが張られている主フレームと、前記座部フレームに固着され椅子の後足としての機能を備えた補助フレームと、前記座部フレームの一部と前記背もたれ部フレームとに接続され、搬送者が肩に掛けて前記簡易担架を支持する一対の肩掛けベルトと、を備えていることを特徴とする。
【００１１】
また、請求項５の考案にかかる簡易担架は、請求項４に記載の考案において、前記脚部フレーム、前記背もたれ部フレーム、および前記補助フレームには、要介護者の搬送時に搬送者が前記簡易担架を支持するためのグリップが形成されていることを特徴とする。
【００１２】
また、請求項６の考案にかかる簡易担架は、請求項４または５に記載の考案において、  前記担架シートには、要介護者の搬送時に搬送者が前記簡易担架を支持するための穿孔部が形成されていることを特徴とする。
【考案の効果】
【００１３】
本考案によれば、搬送時における要介護者及び搬送者にかかる負担を軽減し、搬送時の要介護者の姿勢を安定させることができる簡易担架を提供することができるという効果を奏する。また、本考案によれば、搬送途中で一時待機が必要な場合でも、要介護者に負担がかからない簡易担架を提供することができるという効果を奏する。
【考案を実施するための最良の形態】
【００１４】
以下、添付図面を参照して、本考案にかかる簡易担架の好適な実施の形態を詳細に説明する。
【００１５】
（実施の形態１）
図１は、本考案の実施の形態１にかかる簡易担架の構成を示す図である。図１は、実施の形態１にかかる簡易担架１００を裏面側から見た状態を示している。
【００１６】
この簡易担架１００は、座部１０１ａと背もたれ部１０１ｂとからなる担架シート１０１を備えている。この担架シート１０１は、たとえば、丈夫なテント生地などで略長方形に構成されている。また、担架シート１０１は、巾は標準的な車椅子にあわせ４０ｃｍ程度、丈は載せる要介護者のひざ裏からの座部と座高を勘案し、かつコンパクトな構成とすることから１００ｃｍ程度とすることが好ましい。
【００１７】
また、担架シート１０１には、ふたりの搬送者が肩にかけて簡易担架１００を支持する一連一体の肩掛けベルト１０２が固着されている。具体的には、座部１０１ａの下面略中央部を横断するように肩掛けベルト１０２の一部が固着される。このようにすることで、要介護者が座部１０１ａに座った際に、要介護者の大腿部付け根付近から肩掛けベルト１０２で吊り上げるようになるので、要介護者を安定した姿勢で搬送できるようになる。また、肩掛けベルト１０２の他の一部は、背もたれ部１０１ｂの裏面やや上部に固着される。このようにすることで、要介護者の下半身部と上半身部の体重の分散を図り、簡易担架１００を安定させることができる。なお、簡易担架１００の安定性と搬送者の肩への負担軽減を考慮して、肩掛けベルト１０２の巾は５ｃｍ程度であることが好ましい。
【００１８】
さらに、肩掛けベルト１０２の数箇所には、ベルトの長さ調節のためのアジャスト１０２ａが設けられている。図２は、このアジャスト１０２ａの拡大図である。このアジャスト１０２ａで肩掛けベルト１０２の長さを搬送者の体の大きさにあうように調節することができる。また、このアジャスト１０２ａにより肩掛けベルト１０２の長さが調整できるため、二人の搬送者が完全に対面せずに、進行方向に対して多少前後するようなかたちで向き合うようにして、要介護者を搬送することができる。このようにすることにより、搬送者がいわゆる「かに歩き」をせずに済むため、楽に要介護者の搬送を行うことができる。また、肩掛けベルト１０２の長さ調節が可能なことから、座部１０１ａの位置が常に搬送者のひざの高さより高くなるようにすることができる。この結果、搬送者が踏み出す足の方向の自由度が増し、たとえば階段の昇降や細い通路の通り抜けなどが容易になる。
【００１９】
さらに、背もたれ部１０１ｂの裏面下部には、サポート掴みベルト１０３が設けられている。このサポート掴みベルト１０３は、要介護者の搬送時に搬送者の力の力点となるものであり、簡易担架１００を安定させることができる。また、このサポート掴みベルト１０３があることにより、搬送者の腕と一体となって要介護者を背後からしっかりサポートすることができる。なお、この簡易担架１００は、二人の搬送者で支持されることから、サポート掴みベルト１０３は二本設けられることが好ましい。
【００２０】
また、座部１０１ａの端部にはクロスバー１０４が設けられている。このクロスバー１０４は、座部１０１ａの端部に形成された円筒部の内部を貫いた状態で固着される。したがって、クロスバー１０４は、座部１０１ａの端部で担架シート１０１を横断するようなかたちで固着されることになる。このため、要介護者が座部１０１ａに載せられた際に、要介護者自身の重みにより、座部１０１ａがたわむのを緩和することができる。この結果、要介護者の受ける大腿部からひざにかけての圧迫感が緩和され、要介護者の負担を軽減できる。
【００２１】
また、クロスバー１０４があることにより、要介護者と搬送者との間隔が一定に保たれ、要介護者と搬送者とが接近しすぎることがなくなる。この結果、要介護者が窮屈なおもいをしなくても済むとともに、搬送者にとっても要介護者の搬送が楽になる。加えて、このクロスバー１０４があることにより、搬送時の要介護者のひざの位置を大腿部の位置と同等もしくはやや高い位置に固定することができため、搬送時に足が地面につくのではないかといった要介護者の不安感を解消することもできる。なお、このクロスバー１０４は後述するグリップ１０４ａの部分も含めて７０ｃｍ程度であることが好ましい。また、クロスバー１０４の長さを伸縮自在とするものであってもよい。
【００２２】
さらに、クロスバー１０４の両端にはグリップ１０４ａが形成される。要介護者の搬送時に搬送者がこのグリップ１０４ａを握って、簡易担架１００の進行方向を制御する。また、搬送時に搬送者がこのグリップ１０４ａを握ることで簡易担架１００をより安定させることができる。
【００２３】
さらに、クロスバー１０４のグリップ１０４ａ近傍に、搬送時に要介護者が握るための掴みベルト掴みベルト１０５を設けてもよい。この掴みベルト１０５を設けることで、要介護者搬送時の安全性が向上する。
【００２４】
さらに、背もたれ部１０１ｂの両側部に、所定の太さのロープを包み込み縫い込んで形成したクッション部１０１ｃを設けてもよい。図３は、図１に示したＡ−Ａ線に沿う断面図である。図３に示すように、クッション部１０１ｃはロープ１０６を内包しているため柔軟性に優れ、要介護者にとってクッションの役割を果たすことになる。また、搬送者が簡易担架１００を持ち上げる際の支持部にもなる。
【００２５】
図４は、本考案の実施の形態１にかかる簡易担架の使用例を示す正面図である。また、図５は、本考案の実施の形態１にかかる簡易担架の使用例を示す背面図である。これらの図からもわかるように、実施の形態１の簡易担架１００では、要介護者のひざ裏にクロスバー１０４が位置することにより、要介護者が座部１０１ａに載せられた際に、要介護者自身の重みによる座部１０１ａのたわみを緩和できる。この結果、要介護者が受ける大腿部からひざにかけての圧迫感が緩和され、要介護者の負担を軽減できる。また、クロスバー１０４があることにより、要介護者と搬送者との間隔が一定に保たれ、要介護者と搬送者とが接近しすぎることがなくなる。この結果、要介護者が窮屈なおもいをしなくても済むとともに、搬送者にとっても要介護者の搬送が楽になる。また、肩掛けベルト１０２の長さが調整できるため、座部１０１ａの位置が常に搬送者のひざの高さより高くなるようにすることができる。この結果、搬送者が踏み出す足の方向の自由度が増し、たとえば階段の昇降や細い通路の通り抜けなどが容易になる。
【００２６】
以上説明したように、この実施の形態１にかかる簡易担架１００によれば、搬送時における要介護者にかかる負担を軽減し、搬送時の要介護者の姿勢を安定させることができる。
【００２７】
（実施の形態２）
次に、本考案の実施の形態２について説明する。図６は、本考案の実施の形態２にかかる簡易担架の構成を示す斜視図である。この実施の形態２の簡易担架４００は、主フレーム４０１と、補助フレーム４０２と、担架シート４０３と、一対の肩掛けベルト４０４と、により構成される。なお、主フレーム４０１および補助フレーム４０２はアルミ材で形成されている。
【００２８】
図７は、本考案の実施の形態２にかかる簡易担架のフレーム構成を示す斜視図である。図７に示すように、主フレーム４０１は、脚部フレーム４０１ａと、座部フレーム４０１ｂと、背もたれ部フレーム４０１ｃと、が一体的に構成されている。脚部フレーム４０１ａは、後方に湾曲しており、椅子の前足の機能を有する。また、脚部フレーム４０１ａには、要介護者の搬送時に搬送者が手で簡易担架４００を支えるためのグリップ４０１ｄが形成されている。要介護者をこの簡易担架４００に載せた際に、脚部フレーム４０１ａの内側に要介護者の足が位置することになるため、脚部フレーム４０１ａのグリップ４０１ｄが形成される部分は長めに構成されている。また、脚部フレーム４０１ａと座部フレーム４０１ｂとの境界部には、補強フレーム４０１ｅが設けられている。座部フレーム４０１ｂと背もたれ部フレーム４０１ｃとの境界部がくの字状に湾曲している。背もたれ部フレーム４０１ｃの上部にも、補強フレーム４０１ｆが設けられている。また、背もたれ部フレーム４０１ｃの先端部は後方に湾曲している。また、この背もたれ部フレーム４０１ｃにも、要介護者の搬送時に搬送者が手で簡易担架４００を支えるためのグリップ４０１ｇが形成されている。
【００２９】
図８は、図７に示したＣ部の拡大図である。図８に示すように、座部フレーム４０１ｂと背もたれ部フレーム４０１ｃとの境界部には、補助フレーム４０２が軸着されている。また、補助フレーム４０２に設けられたキャッチ４０２ａが背もたれ部フレーム４０１ｃの下方部に当接することで補助フレーム４０２が背もたれ部フレーム４０１ｃに対して係止される。補助フレーム４０２にも、要介護者の搬送時に搬送者が手で簡易担架４００を支えるためのグリップ４０２ｂが形成される。
【００３０】
担架シート４０３は、座部フレーム４０１ｂの補強フレーム４０１ｅから背もたれ部フレーム４０１ｃの補強フレーム４０１ｆにかけて張られる（図６参照）。この担架シート４０３は、要介護者を載せて搬送するためのシートであり、丈夫なテント生地などで構成されている。また、担架シート４０３において、下方の座部フレーム４０１ｂにかかる部分と、上方の背もたれ部フレーム４０１ｃにかかる部分の一部に切欠部４０３ａが設けられており、切欠部４０３ａからフレームが覗いている。さらに、切欠部４０３ａの近傍に、穿孔部４０３ｂが形成されており、搬送者が穿孔部４０３ｂに指を通すことで、背もたれ部フレーム４０１ｃを握ることができるようになっている。
【００３１】
さらに、一対の肩掛けベルト４０４が、切欠部４０３ａから覗いているフレームにそれぞれ取り付けられる。一対の肩掛けベルト４０４は、要介護者を搬送する際に、二人の搬送者がそれぞれを肩に掛けて簡易担架４００を支持するものである。また、この肩掛けベルト４０４にも実施の形態１で示したものと同様のアジャスト４０４ａが設けられており、必要に応じて長さが調節できるようになっている。
【００３２】
以上説明したように、この実施の形態２の簡易担架４００は、椅子と担架とが一体的に構成されている形状となっている。したがって、要介護者の搬送途中で、要介護者を簡易担架４００に載せたまま地面に下ろしても、要介護者に特別負担を掛けることがない。特に、この簡易担架４００は、地面が完全な平らではない場所で、要介護者を一時待機させなければならないときに、地面に下ろすだけでそのまま椅子としての機能を発揮するので、災害時など、緊急に要介護者を施設内から外へ避難させる必要がある場合に有効である。
【産業上の利用可能性】
【００３３】
以上のように、本考案にかかる簡易担架は、要介護者の搬送具として有用であり、特に、要介護者を階段や狭い通路などを経由して搬送する必要がある場合に適している。
【図面の簡単な説明】
【００３４】
【図１】本考案の実施の形態１にかかる簡易担架の構成を示す図である。
【図２】アジャストの拡大図である。
【図３】図１に示したＡ−Ａ線に沿う断面図である。
【図４】本考案の実施の形態１にかかる簡易担架の使用例を示す正面図である。
【図５】本考案の実施の形態１にかかる簡易担架の使用例を示す背面図である。
【図６】本考案の実施の形態２にかかる簡易担架の構成を示す斜視図である。
【図７】本考案の実施の形態２にかかる簡易担架のフレーム構成を示す斜視図である。
【図８】図７に示したＣ部の拡大図である。
【符号の説明】
【００３５】
１００，４００  簡易担架
１０１，４０３  担架シート
１０１ａ  座部
１０１ｂ  背もたれ部
１０１ｃ  クッション部
１０２，４０４  肩掛けベルト
１０２ａ，４０４ａ  アジャスト
１０３  サポート掴みベルト
１０４  クロスバー
１０４ａ，４０１ｄ，４０１ｇ，４０２ｂ  グリップ
１０５  掴みベルト
１０６  ロープ
４０１  主フレーム
４０１ａ  脚部フレーム
４０１ｂ  座部フレーム
４０１ｃ  背もたれ部フレーム
４０１ｅ，４０１ｆ  補強フレーム
４０２  補助フレーム
４０２ａ  キャッチ
４０３ａ  切欠部
４０３ｂ  穿孔部
【図１】
0003135405.tif 000003
【図２】
0003135405.tif 000004
【図３】
0003135405.tif 000005
【図４】
0003135405.tif 000006
【図５】
0003135405.tif 000007
【図６】
0003135405.tif 000008
【図７】
0003135405.tif 000009
【図８】
0003135405.tif 000010